(57)【要約】  本発明は、少なくとも１つの発呼側の加入者（Ａ−Ｔｌｎ）と少なくとも１つの被発呼側の第１の加入者（Ｂ−Ｔｌｎ）との間でパケット指向のコンピュータネットワークを介してマルチメディアコネクションを確立する方法する方法に関する。被発呼側の加入者の端末機器から別の加入者端末機器（Ｃ−Ｔｌｎ，Ｄ−Ｔｌｎ）へのカスケード化されたコール転送が行われ、コンピュータネットワークのネットワークエレメント（ＰＲ）を介して、発呼側の加入者から被発呼側の第１の加入者の端末機器へのマルチメディアコネクションの確立が開始され、被発呼側の第１の加入者の端末機器からネットワークエレメントに、別の加入者端末機器へのコネクション転送およびその所属のデータが通知され、発呼側の加入者とのマルチメディアコネクションを維持しながら、ネットワークエレメントにより別の加入者端末機器とのマルチメディアコネクションが確立される。【特許請求の範囲】
【請求項１】
少なくとも１つの発呼側の加入者（Ａ−Ｔｌｎ）と少なくとも１つの被発呼側の第１の加入者（Ｂ−Ｔｌｎ）との間でパケット指向のコンピュータネットワークを介してマルチメディアコネクションを確立する方法する方法であって、
前記被発呼側の加入者（Ｂ−Ｔｌｎ）の端末機器から別の加入者端末機器（Ｃ−Ｔｌｎ，Ｄ−Ｔｌｎ）へのカスケード化されたコール転送が行われる方法において、
−最初に、前記コンピュータネットワークのネットワークエレメント（ＰＲ）を介して、前記発呼側の加入者（Ａ−Ｔｌｎ）から前記被発呼側の第１の加入者（Ｂ−Ｔｌｎ）の端末機器へのマルチメディアコネクションの確立を開始し、
−続いて、前記被発呼側の第１の加入者（Ｂ−Ｔｌｎ）の端末機器から前記ネットワークエレメント（ＰＲ）に、別の加入者端末機器（Ｃ−Ｔｌｎ，Ｄ−Ｔｌｎ）へのコネクション転送および該別の加入者端末機器（Ｃ−Ｔｌｎ，Ｄ−Ｔｌｎ）の所属のデータを通知し、
−前記発呼側の加入者（Ａ−Ｔｌｎ）との前記マルチメディアコネクションを維持しながら、前記ネットワークエレメント（ＰＲ）により前記別の加入者端末機器（Ｃ−Ｔｌｎ，Ｄ−Ｔｌｎ）とのマルチメディアコネクションを確立することを特徴とする、方法。
【請求項２】
前記マルチメディアコネクションの制御および管理にいわゆるセッション開始プロトコルＳＩＰを使用する、請求項１記載の方法。
【請求項３】
ネットワークエレメントとしていわゆるプロキシ（ＰＲ）を使用する、請求項１また２記載の方法。
【請求項４】
前記発呼側の加入者（Ａ−Ｔｌｎ）はＳＩＰ加入者であるか、ＳＩＰを介して前記コンピュータネットワークに接続されている公衆交換電話網（ＰＳＴＮ）の加入者である、請求項１から３までのいずれか１項記載の方法。
【請求項５】
前記被発呼側の第１の加入者（Ｂ−Ｔｌｎ）はＳＩＰ加入者であるか、ＳＩＰを介して前記コンピュータネットワークに接続されている公衆交換電話網（ＰＳＴＮ）の加入者である、請求項１から４までのいずれか１項記載の方法。
【請求項６】
ＳＩＰ加入者端末機器またはＳＩＰを介して前記コンピュータネットワークに接続されているＰＳＴＮ加入者端末機器への前記マルチメディアコネクションの転送を実施する、請求項１から５までのいずれか１項記載の方法。
【発明の詳細な説明】
【技術分野】
【０００１】
本発明は、パケット指向のコンピュータネットワークを介するマルチメディアコネクションの確立方法に関し、このマルチメディアコネクションは少なくとも１つの発呼側の加入者と少なくとも１つの被発呼側の第１の加入者との間に確立され、また被発呼側の加入者の端末機器から別の加入者端末機器へのカスケード化されたコール転送が行われる。
【０００２】
近年においてコンピュータネットワークは数多くのサービスを提供する重要な通信媒体へと発展した。その種のコンピュータネットワークは複数のいわゆるネットワークエレメント（ネットワークノードとも称される）から構成されており、これらのネットワークエレメントはコネクション、いわゆるエッジにより相互に接続されている。コンピュータネットワークにアクセスするために、もしくは多数のサービスを利用できるようにするために、いわゆる端末機器、例えばＰＣ、モデムまたは電話が使用され、これらの端末機器はネットワークコネクションを介してコンピュータネットワークに接続されている。
【０００３】
世界的に最も知られているコンピュータネットワークはインターネットであり、これは相互に接続されており且つトランスポートプロトコルとしてのインターネットプロトコルＩＰを利用する全てのネットワークを総称するものである。インターネットプロトコルによってデータはパケットの形で伝送される。したがってインターネットもいわゆるパケット指向のコンピュータネットワークに含まれる。
【０００４】
インターネットプロトコルを基礎として伝送制御プロトコルＴＣＰまたはユーザデータグラムプロトコルＵＤＰのようなトランスポートプロトコルがあり、またさらにこのプロトコルを基礎として殆ど概観できない程に数多くの部分的に相互に競合する種々のアプリケーションプロトコル、例えばｈｔｔｐ、ＦＴＰがあり、またマルチメディアコネクションの管理に関してはいわゆるセッション開始プロトコル（略してＳＩＰプロトコルとも称される）またはＩＴＵ−Ｔ標準Ｈ．３２３がある。
【０００５】
したがって現在のところマルチメディアコネクションに関しては、シグナリングのための２つの競合する標準、すなわちＨ．３２３およびＳＩＰが存在するＩＴＵ−Ｔ標準Ｈ.３２３（ITU; International Telecommunication Union）はパケット指向のネットワークにおける音声通信およびビデオ通信のようなマルチメディアアプリケーションのリアルタイム伝送のために開発されたものである。この標準はいわゆるアンブレラ標準（Umbrella-Standard）として、一連のプロトコル、例えば端末機器機能および状態情報のシグナリング、交換ならびにコネクションおよびデータフローの制御を提供する。
【０００６】
ベアラまたはベアラチャネルとも称される有効チャネルの確立とシグナリングが別個に行われるマルチメディアコネクションの場合にはＩＴＵ−Ｔ標準Ｑ．１９０２，ＸＢＩＣＣ  ＣＳ２（bearer independent call control capability set 2）およびＱ．７６５．５ＢＡＴ（bearer application transport）により並行してまた択一的に、公知の付加的なサービスないしサービスフィーチャ、例えばコール転送またはコールフォワードをどのように実現することができるかが付加的に規定された。
【０００７】
セッション開始プロトコルＳＩＰはＩＥＦＴ（Internet Engineering Task Force）によって開発された。この標準は２つまたは複数の加入者を有するセッションを確立、変更および終了するためのシグナリングプロトコルを規定する。ＳＩＰプロトコルは同様にパケット指向のネットワークを介するリアルタイムデータ伝送に使用され、また機能的にはＩＴＵ−Ｔ標準Ｈ．３２３によるプロトコルと同等のものである。セッション開始プロトコルＳＩＰは音声も含めたインタラクティブな通信サービスをＩＰネットワークを介して伝送し、トランスポートはＴＣＰ（Transmission Control Protocol）またはＵＤＰ（User Datagram Protocol）により機能する。ＳＩＰプロトコルはユーザのコールシグナリングならびに位置特定および登録のために使用される。しかしながら殊に発呼者の同定の伝送ならびにコール転送もＩＰネットワークにおいて実現することができる。
【０００８】
ＩＴＵ−Ｔ標準Ｈ．３２３とは異なり、ＳＩＰプロトコルはインターネットを考慮して開発されたものであり、したがってｈｔｔｐ（Hypertext Transfer Protocol）を基礎としたテキスト指向のものであり、またオープンなインターネットベースの構造を提供する。この理由から新たなサービスフィーチャを比較的簡単且つ迅速に実現することができる。
【０００９】
前述の２つの標準は依然として発展し続けているが、１つの標準または別の標準が使用される種々の通信ネットワークの考えられる協働が基本的に最初に考慮される。これに関する近年の例として、ＩＴＵ−Ｔに関してはＱ．１９１２．５"Interworking SIP and BICC/ISUP"もしくはＲＦＣ３６６５（Request for Coments）に関しては"SIP Basic call flow examples"またＲＦＣ３６６６に関しては"SIP PSTN Call flows"が挙げられる。やはりこのＲＦＣにおいても、音声およびデータを伝送する回線交換型のディジタルネットワークを表す統合サービスディジタル網ＩＳＤＮから公知の付加的なサービスフィーチャ、例えばコール転送、コールフォワードなどが先ず考慮される。
【００１０】
もっともＳＩＰプロトコルはパケット指向のネットワークにおける通信を実現するためにのみ使用されるので、データの本来の交換に関してはセッション記述プロトコルＳＤＰおよびリアルタイムトランスポートプロトコルＲＴＰのような別のプロトコルが使用される。ＩＦＴのＲＦＣ２３２７に記述されるＳＤＰによって例えば、使用すべきトランスポートプロトコルがコネクションの端末機器間で交渉される。ＲＦＣ３５５０によって規定されているＲＴＰのタスクはマルチメディアデータ（例えばオーディオ、ビデオ、テキストなど）をパケット化し、例えばＵＤＰを介して送信することである。プロトコルＳＤＰおよびＲＴＰと共通してＳＩＰをいわゆるインターネット電話に使用することができる。
【００１１】
従来の電話とは異なりインターネット電話においては音声情報が通信ネットワーク内の交換回線網を介して伝送されるのではなく、例えばＩＰ，ＴＣＰまたはＵＤＰのようなプロトコルによってデータパケットに分割される。このマルチメディアデータ（音声、オーディオ、ビデオ、テキストなど）の伝送においては、発呼側の加入者の端末機器から被発呼側の加入者の端末機器までのコンピュータネットワークを通るパスは規定されない。
【００１２】
しかしながらネットワークプロバイダの観点からは、少なくとも１つのネットワークエレメントがマルチメディアコネクションにおいて常にデータ伝送のパスに関与していることが重要である。何故ならばそのようにしてのみ、マルチメディアコネクションの課金もしくはマルチメディアコネクション内の合法的な盗聴（合法的傍受とも称される）またはトラフィック測定が実現されるからである。コンピュータネットワークにおいて、もしくはＳＩＰプロトコルが使用される場合、データ伝送のパスに常に関与しているネットワークエレメントはプロキシと称される。プロキシによって発呼側の加入者の端末機器と被発呼側の加入者の端末機器との間においてデータが伝送される。
【００１３】
コンピュータネットワーク、殊にインターネット電話において、発呼側の第１の加入者から被発呼側の加入者までのマルチメディアコネクションが確立され、この被発呼側の加入者の端末機器から別の加入者端末機器までのコール転送が行われ、この別の加入者端末機器からさらに別のコール転送が行われ、以下同様のことが行われるケースが発生した場合、これはカスケード化されたコール転送と称される。
【００１４】
しかしながら課金ないし合法的傍受の理由から、カスケード化されたコール転送においても少なくとも１つのネットワークエレメントが常にマルチメディアコネクションの確立に常に関与していることが必要である。通常ではコンピュータネットワークにおいてコール転送が行われる場合いわゆる「再帰的プロキシ」を使用することができ、このプロキシによって別の加入者端末機器へのコール転送が阻まれる。
【００１５】
しかしながらカスケード化されたコール転送においてはこの構成は欠点を有する。つまりプロキシでは発呼側の加入者の端末機器に関してコンピュータネットワーク内での複数の転送を行わなければならない。したがって、殊に種々の通信ネットワーク例えばＳＩＰプロトコルを用いるコンピュータネットワークといわゆる公衆交換電話網ＰＳＴＮないしＩＳＤＮネットワークが相互に作用する場合、また殊にネットワーク移行部において、マルチメディアコネクションにおける課金および／または合法的傍聴のためのプロキシに負荷を掛けることは困難である。
【００１６】
さらにはいわゆる「再帰的プロキシ」の使用は、殊にＳＩＰプロトコルを使用する場合、例えばＩＥＦＴのＲＦＣ３２６１によって規定されるＳＩＰ標準によって、発呼側の加入者の端末機器の方向においてＳＩＰネットワーク内の複数の転送が許容されないという欠点を有する。
【００１７】
したがって本発明の課題は、所定のネットワークエレメントがマルチメディアコネクションの確立に常に関与し、且つコンピュータネットワークにおけるＳＩＰプロトコルの使用も実現される方法を提供することである。
【００１８】
この課題は本発明によれば、被発呼側の加入者の端末機器から別の加入者端末機器へのカスケード化されたコール転送が行われる、少なくとも１つの発呼側の加入者と少なくとも１つの被発呼側の第１の加入者との間にパケット指向のコンピュータネットワークを介するマルチメディアコネクションを確立する方法によって解決される。この方法によって、先ず発呼側の加入者の端末機器から被発呼側の第１の加入者の端末機器までのマルチメディアコネクションの確立がコンピュータネットワークのネットワークエレメントを介して開始される。続いて被発呼側の第１の加入者の端末機器からネットワークエレメントには、別の加入者端末機器へのコネクション転送およびこの別の加入者端末機器の所属のデータが通知され、発呼側の加入者とのマルチメディアコネクションが維持されながら、ネットワークエレメントによってこの別の加入者端末機器とのマルチメディアコネクションが確立される。
【００１９】
本発明により簡単なやり方で、所定のネットワークエレメントはカスケード化されたコール転送にもかかわらずマルチメディアコネクションの確立に常に関与し続け、したがってマルチメディアコネクションの課金ないし合法的傍聴またはトラフィック測定を実施できることが保証される。ネットワークエレメントによって発呼側の加入者端末機器とのマルチメディアコネクションのみが確立されるのではなく、発呼側の加入者端末機器とのマルチメディアコネクションが維持されながら、他方ではこのネットワークエレメントによって全てのカスケード化されたコール転送が行われ、したがってマルチメディアコネクションは別の加入者端末機器に転じられる。
【００２０】
いわゆるセッション開始プロトコル（ＳＩＰプロトコル）が殊にＩＥＦＴのＲＦＣ３２６１において規定されており、またＲＦＣ３３１１「The Session Initiation Protocol (SIP) UPDATE Method」によりベアラ変更の標準化された規定が使用されるので、マルチメディアコネクションの制御および管理に関してセッション開始プロトコルＳＩＰが使用される場合には有利である。
【００２１】
ネットワークエレメントとしていわゆるプロキシが使用される場合には好適である。プロキシは発呼側の加入者の端末機器と被発呼側の加入者の端末機器との間のデータ伝送の際に仲介のために使用されるので、このプロキシがマルチメディアコネクションのカスケード化されたコール転送において常にコネクションの全ての確立に関与し続けることが簡単に実現される。
【００２２】
本発明の有利な実施形態においては、発呼側の加入者がＳＩＰ加入者またはＳＩＰを介してコンピュータネットワークに接続されている公衆交換電話網（ＰＳＴＮ）の加入者であることが予定されており、これによってマルチメディアコネクションの制御および管理に関して、ＲＦＣ３２６１によって標準化されたＳＩＰプロトコルならびにＲＦＣ３３１１に記載されているＵＰＤＡＥ方法を使用することができる。
【００２３】
有利な実施形態においては、被発呼側の第１の加入者がＳＩＰ加入者またはＳＩＰを介してコンピュータネットワークに接続されている公衆交換電話網（ＰＳＴＮ）の加入者であり、これによって本発明による方法のために、マルチメディアコネクションの制御および管理に関して、ＲＦＣ３２６１によって標準化されたＳＩＰプロトコルならびにＲＦＣ３３１１に記載されているＵＰＤＡＥ方法を簡単に使用することができる。
【００２４】
ＳＩＰ加入者端末機器またはＳＩＰを介してコンピュータネットワークに接続されているＰＳＴＮ加入者端末機器とのマルチメディアコネクションの転送が実施される場合も好適である。何故ならばこれによって本発明による方法のために、マルチメディアコネクションの制御および管理に関して、ＲＦＣ３２６１によって標準化されたＳＩＰプロトコル、ＲＦＣ３３１１に記載されているＵＰＤＡＴＥ方法およびＳＩＰネットワークおよびＰＳＴＮネットワークの相互作用に関して存在する標準を使用することができるからである。
【００２５】
本発明を実施例に基づき詳細に説明する。
【００２６】
実施例は、ＳＩＰ加入者であるか、ＳＩＰを介してコンピュータネットワークに接続されている公衆交換電話網（ＰＳＴＮ）の加入者である発呼側の加入者Ａ−Ｔｌｎによって、同様にＳＩＰ加入者であるか、ＳＩＰを介してコンピュータネットワークに接続されている公衆交換電話網（ＰＳＴＮ）の加入者である被発呼側の第１の加入者Ｂ−Ｔｌｎとのマルチメディアコネクションが確立される場合に関する。
【００２７】
もっともこの第１の加入者Ｂ−Ｔｌｎはサービスフィーチャ「コール転送」をアクティブにしているので、これによって別のＳＩＰ加入者またはＳＩＰを介してコンピュータネットワークに接続されているＰＳＴＮ加入者の端末機器Ｃ−Ｔｌｎとのマルチメディアコネクションが確立され、この端末機器Ｃ−Ｔｌｎはやはりサービスフィーチャ「コール転送」をアクティブにしており、以降もこれが繰り返される。
【００２８】
マルチメディアコネクションの確立を制御および管理するために、例えばＲＦＣ３２６１および３３１１に記載されているような、セッション開始プロトコルＳＩＰまたはＳＩＰ−Ｔがシグナリングプロトコルとして使用される。端末機器間で使用されるべきトランスポートプロトコル、コネクション固有のデータまたは端末機器のデータなどのようなマルチメディアコネクションを記述するために、例えばＲＦＣ２３２７において規定されているようなセッション記述プロトコルＳＤＰが使用される。
【００２９】
ネットワークエレメントとしてコンピュータネットワークにおけるプロキシＲＰが使用される。
【００３０】
ここで本発明によれば第１のステップにおいて、発呼側の加入者Ａ-Ｔｌｎの端末機器からプロキシＰＲを介する被発呼側の第１の加入者Ｂ-Ｔｌｎの端末機器へのマルチメディアコネクションの確立が開始される。第２のステップにおいてプロキシＰＲには被発呼側の第１の加入者Ｂ-Ｔｌｎの端末機器によって、マルチメディアコネクションは別の加入者端末機器Ｃ−Ｔｌｎに転送されるべきことが通知される。さらにはプロキシＰＲに別の加入者端末機器Ｃ-Ｔｌｎのデータが通知される。第３のステップにおいては、プロキシＰＲによって一方では発呼側の加入者Ａ−Ｔｌｎの端末機器とのマルチメディアコネクションが維持され、他方では別の加入者端末機器Ｃ−Ｔｌｎとのマルチメディアコネクションが確立される。
【００３１】
この加入者端末機器Ｃ−Ｔｌｎにおいて同様にサービスフィーチャ「コール転送」がアクティブである場合には、本方法の第２のステップおよび第３のステップが再度実施される。すなわち加入者端末機器Ｃ−ＴｌｎからプロキシＰＲに別の加入者端末機器Ｄ−Ｔｌｎとのマルチメディアコネクションの転送ならびに所属のデータが通知され、続いてプロキシＰＲによって発呼側の加入者Ａ-Ｔｌｎとのマルチメディアコネクションが維持されながら、この別の加入者端末機器Ｄ-Ｔｌｎとのマルチメディアコネクションが確立される。プロキシＰＲは常にコネクション確立においてそのままにとどまる。
【００３２】
プロキシによってコネクションの確立が実施され、別の加入者端末機器Ｃ−Ｔｌｎ，Ｄ−Ｔｌｎなどの応答が処理され、他方では発呼側の加入者Ａ−ＴｌｎまでのマルチメディアコネクションがプロキシＰＲによって維持され、さらには転送ないしデータが確かに発呼側の加入者Ａ−Ｔｌｎの端末機器に通知されるが、このデータの伝送ＵＰＤＡＴＥがプロキシＰＲによって管理されず、発呼側の加入者Ａ−Ｔｌｎの端末機器のそれぞれの一時的な応答がプロキシＰＲによって待機されない。目下の転送の加入者端末機器Ｃ−Ｔｌｎ，Ｄ-Ｔｌｎなどがマルチメディアコネクションの確立を肯定的に確認したときに初めて、発呼側の加入者Ａ-Ｔｌｎの端末機器の一時的な応答がまさにプロキシＰＲに関する目下の伝送ＵＰＤＡＴＥについて許容され、マルチメディアコネクションが最終的に確立される。
【００３３】
詳細に説明するために、以下にカスケード化されたコール転送におけるマルチメディアコネクションの例示的な確立に関する表を挿入する。発呼側の加入者Ａ-Ｔｌｎの端末機器からプロキシＰＲを介して被発呼側の第１の加入者Ｂ-Ｔｌｎの端末機器へのコネクション確立が開始され、続いてプロキシＰＲによるマルチメディアコネクションのデータ交換ならびに転送が示される。
【００３４】
【表１】
2008545350.tif 000002
【００３５】
確かにＲＦＣ３３１１におけるＵＰＤＡＴＥ方法の記述からは、伝送ＵＰＤＡＴＥを送信したプロキシＰＲのようなネットワークエレメントから、第１の伝送ＵＰＤＡＴＥが応答される前にさらに別の伝送ＵＰＤＡＴＥが送信されるケースは本来生じるべきではないことが分かる。しかしながらＲＦＣ３３１１においては同様にこのケースが受信側に関して明示的に記載されているので、これは多数の伝送ＵＰＤＡＴＥの管理に関するプロキシＰＲの負荷を軽減するために使用される。マルチメディアコネクションの確立がさらに継続される前には、プロキシによって伝送ＵＰＤＡＴＥが記憶される必要はなく、またそれについてのその都度の応答は期待されない。
【００３６】
むしろ発呼側の加入者Ａ-Ｔｌｎの端末機器の伝送ＵＰＤＡＴＥについての考えられる一時的な応答が、それぞれの前歴を考慮する必要はく常に直接的にマッピングされる。伝送ＵＰＤＡＴＥについての受信に際し、プロキシＰＲによって下記の表に応じた判定がなされる。
【００３７】
【表２】
2008545350.tif 000003
【００３８】
その間に新たな加入者Ｃ-Ｔｌｎ，Ｄ-Ｔｌｎなどからそれらへの新たな一時的な応答な転送、受信が行われない場合には、第１の伝送ＵＰＤＡＴＥに続いてＵＰＤＡＴＥは送信されなかったので、上述の表に記載されているように評価は必要とされない。
【００３９】
原理的には、プロキシＰＲに相互作用を実現させるために、本発明による方法をＵＰＤＡＴＥ方法からＩＮＶＩＴＥ方法に転用することができる。本発明による方法においては、ＵＰＤＡＴＥが相応の表におけるＩＮＶＩＴＥによって置換され、またＩＮＶＩＴＥに属する応答が相応に評価される。
【国際調査報告】
2008545350.tif 000004
2008545350.tif 000005
2008545350.tif 000006
2008545350.tif 000007
2008545350.tif 000008
2008545350.tif 000009